(57)【要約】【課題】簡易な構成で撮影作業性の向上および被検者の負担の軽減を図りつつ、小さい撮影視野に関心領域を納めることが可能なＸ線撮影装置およびＸ線撮影方法を提供する。【解決手段】Ｘ線撮影装置１は、Ｘ線源１１と、Ｘ線撮像手段１２と、Ｘ線源１１およびＸ線撮像手段１２を支持するアーム４と、該アーム４を回転中心軸Ｃ１の周りに回転させてＸ線源１１およびＸ線撮像手段１２を被写体の周りで旋回させる旋回手段５と、を備えている。また、Ｘ線撮影装置１は、ＣＴ撮影時に患者が噛むプレート６５１を備えている。そして、プレート６５１と回転中心軸Ｃ１との水平方向の相対位置が固定されており、プレート６５１は、回転中心軸Ｃ１の延長線上に配置されている。【選択図】図１
2018121799.tif 000002
【特許請求の範囲】
【請求項１】
Ｘ線束を被検者の被写体に照射するＸ線源と、
前記被写体を透過した前記Ｘ線束を検出するＸ線撮像手段と、
前記Ｘ線源および前記Ｘ線撮像手段を支持する支持部材と、
該支持部材を鉛直方向に沿う回転中心軸の周りに回転させて前記Ｘ線源および前記Ｘ線撮像手段を前記被写体の周りで旋回させる旋回手段と、
ＣＴ撮影時に前記被検者が噛むプレートと、を備え、
前記プレートと前記回転中心軸との水平方向の相対位置が固定されており、
前記プレートは、前記回転中心軸の延長線上に配置されていることを特徴とするＸ線撮影装置。
【請求項２】
前記プレートの水平方向の最大長さは、前記Ｘ線束の広がりが異なる複数の撮影モードのうちの前記Ｘ線束の広がりが最小である局所撮影モードで得られる撮影視野の直径以下に設定されていることを特徴とする請求項１に記載のＸ線撮影装置。
【請求項３】
前記プレートの水平方向の最大長さは、前記Ｘ線束の広がりが異なる複数の撮影モードのうちの１歯または２歯撮影用の局所撮影モードで得られる撮影視野の直径以下に設定されていることを特徴とする請求項１に記載のＸ線撮影装置。
【請求項４】
前記プレートは、前記局所撮影モードで得られる撮影視野の直径以下の直径を持つ円板状を呈しており、水平に配置されていることを特徴とする請求項２または請求項３に記載のＸ線撮影装置。
【請求項５】
前記プレートには、該プレートの中心位置を示す中心表示部が設けられていることを特徴とする請求項１から請求項４のいずれか一項に記載のＸ線撮影装置。
【請求項６】
前記プレートと前記回転中心軸との水平方向における位置がそれぞれ固定されていることを特徴とする請求項１から請求項５のいずれか一項に記載のＸ線撮影装置。
【請求項７】
前記被検者の頭部を固定する頭部固定装置を備え、
前記頭部固定装置は、前記頭部の固定位置が調整可能に構成されていることを特徴とする請求項１から請求項６のいずれか一項に記載のＸ線撮影装置。
【請求項８】
請求項１から請求項６のいずれか一項に記載のＸ線撮影装置を用いて撮影を行うＸ線撮影方法であって、
前記被検者が前記プレートを噛むステップと、
前記被検者が前記プレートを噛んだ状態において、前記旋回手段が前記支持部材を回転させて前記Ｘ線源および前記Ｘ線撮像手段を前記被写体の周りで旋回させながら、前記Ｘ線撮像手段が前記被写体を透過した前記Ｘ線束を検出するステップと、
を含むことを特徴とするＸ線撮影方法。
【請求項９】
前記Ｘ線撮影装置は、前記被検者の頭部を固定する頭部固定装置を備え、
前記頭部固定装置は、前記頭部の固定位置が調整可能に構成されており、
前記Ｘ線撮影方法は、
前記被検者が前記プレートを噛んだ状態における前記被検者の前記頭部にあわせて、前記頭部固定装置によって前記頭部の固定位置が調整されるとともに該頭部が固定されるステップを含むことを特徴とする請求項８に記載のＸ線撮影方法。
【発明の詳細な説明】
【技術分野】
【０００１】
本発明は、Ｘ線撮影装置およびＸ線撮影方法に関する。
【背景技術】
【０００２】
ＣＴ（Computed Tomography）撮影においてＸ線束の広がりが異なる複数種類（例えば大小２種類）の撮影モードを備えるＸ線撮影装置が存在する。Ｘ線束の広がりが大きい撮影モードでは、撮影視野（ＦＯＶ：Field Of View）の直径は大きくなり、Ｘ線束の広がりが小さい撮影モードでは、撮影視野の直径は小さくなる。被検者の被爆量の低減という観点からは、撮影視野は小さい方が好ましい。しかし、撮影視野が小さいと、診断の目的部位としての関心領域を、その小さい撮影視野に納めることが困難となる。
【０００３】
そこで、予め低放射のスカウトショットが実施され、スカウトショットで得られた画像において関心領域を指定することによって、撮影視野を関心領域に移動させる技術が提案されている。
【０００４】
また、特許文献１には、大小の撮影視野と同じ大小二つの直径の円及びその中心を表す十字線を描いた透明板又は半透明板からなる撮影視野確認プレートを用いて、撮影視野の中心位置および外縁を撮影者が視覚により確認できるようにした技術が提案されている。
【先行技術文献】
【特許文献】
【０００５】
【特許文献１】特開２０１４−１２４２８７号公報
【発明の概要】
【発明が解決しようとする課題】
【０００６】
スカウトショットで得られた画像において関心領域を指定する技術は、本来の撮影とは別にスカウトショットが必要になるとともに被検者がスカウトショットに要する時間を含む長い時間拘束されることになり、被検者の負担が大きい。
【０００７】
特許文献１に記載の技術では、被検者の噛合によってバイトプレートに歯型が形成された後、バイトプレートが水平移動されて該バイトプレートの所望の部位を交点とする十字の光ビームが照射される。次に、バイトプレート上に撮影視野確認プレートが載置され、十字の光ビームの交点と撮影視野確認プレートの中心とが合致させられる。これにより、撮影視野に関心領域が納まっていることを確認できる。そして、被検者が再度バイトプレートを噛み、その状態で撮影が行われる。このように、特許文献１に記載の技術は、構成が複雑であるとともに撮影作業が煩雑になるため改善の余地があった。
【０００８】
本発明は、前記した事情に鑑みてなされたものであり、簡易な構成で撮影作業性の向上および被検者の負担の軽減を図りつつ、小さい撮影視野に関心領域を納めることが可能なＸ線撮影装置およびＸ線撮影方法を提供することを課題とする。
【課題を解決するための手段】
【０００９】
前記課題を解決するため、本発明に係るＸ線撮影装置は、Ｘ線束を被検者の被写体に照射するＸ線源と、前記被写体を透過した前記Ｘ線束を検出するＸ線撮像手段と、前記Ｘ線源および前記Ｘ線撮像手段を支持する支持部材と、該支持部材を鉛直方向に沿う回転中心軸の周りに回転させて前記Ｘ線源および前記Ｘ線撮像手段を前記被写体の周りで旋回させる旋回手段と、ＣＴ撮影時に前記被検者が噛むプレートと、を備え、前記プレートと前記回転中心軸との水平方向の相対位置が固定されており、前記プレートは、前記回転中心軸の延長線上に配置されていることを特徴とする。
【００１０】
この構成では、被検者が診断の目的部位に対応する歯や部位で回転中心軸の延長線上にあるプレートを噛んだ状態において撮影するだけで、小さい撮影視野に関心領域を納めることが可能となる。また、従来のようなスカウトショットが不要になるとともに被検者が長い時間拘束されずに済むため、被検者の負担が軽減される。
すなわち、本発明によれば、簡易な構成で撮影作業性の向上および被検者の負担の軽減を図りつつ、小さい撮影視野に関心領域を納めることが可能なＸ線撮影装置を提供できる。
【００１１】
前記Ｘ線撮影装置において、前記プレートの水平方向の最大長さは、前記Ｘ線束の広がりが異なる複数の撮影モードのうちの前記Ｘ線束の広がりが最小である局所撮影モードで得られる撮影視野の直径以下に設定されていることが好ましい。
【００１２】
この構成では、Ｘ線束の広がりが最小である局所撮影モードで得られる撮影視野に関心領域を納めることができる。
【００１３】
前記Ｘ線撮影装置において、前記プレートの水平方向の最大長さは、前記Ｘ線束の広がりが異なる複数の撮影モードのうちの１歯または２歯撮影用の局所撮影モードで得られる撮影視野の直径以下に設定されていることが好ましい。
【００１４】
この構成では、１歯または２歯撮影用の局所撮影モードで得られる撮影視野に関心領域を納めることができる。
【００１５】
前記Ｘ線撮影装置において、前記プレートは、前記局所撮影モードで得られる撮影視野の直径以下の直径を持つ円板状を呈しており、水平に配置されていることが好ましい。
【００１６】
この構成では、鉛直方向（上下方向）から見てプレートの形状が撮影視野の形状と同様な円形を呈している。このため、被検者はプレートを噛みやすくなるとともに、局所撮影モードで得られる撮影視野に関心領域をより確実に納めることが可能となる。
【００１７】
前記Ｘ線撮影装置において、前記プレートには、該プレートの中心位置を示す中心表示部が設けられていることが好ましい。
【００１８】
この構成では、操作者が目視してプレートを患者の口腔内で位置決めする際、撮影視野の中心位置を確認することが可能となる。
【００１９】
前記Ｘ線撮影装置において、前記プレートと前記回転中心軸との水平方向における位置がそれぞれ固定されていることが好ましい。
【００２０】
この構成では、プレートや回転中心軸の水平面内における移動機構が不要であり、より簡易な構成を実現できるとともにコストの低減が図られる。
【００２１】
前記Ｘ線撮影装置は、前記被検者の頭部を固定する頭部固定装置を備え、前記頭部固定装置は、前記頭部の固定位置が調整可能に構成されていることが好ましい。
【００２２】
関心領域がどこかによって被検者がプレートを噛んだときの頭部の位置がずれることになるが、この構成では、被検者がプレートを噛んだ状態における頭部にあわせて、頭部の固定位置を調整しつつ該頭部を固定できる。これにより、より安定した撮影が可能となり、精度の高い画像を得ることができる。
【００２３】
前記課題を解決するため、本発明に係るＸ線撮影方法は、前記Ｘ線撮影装置を用いて撮影を行うＸ線撮影方法であって、前記被検者が前記プレートを噛むステップと、前記被検者が前記プレートを噛んだ状態において、前記旋回手段が前記支持部材を回転させて前記Ｘ線源および前記Ｘ線撮像手段を前記被写体の周りで旋回させながら、前記Ｘ線撮像手段が前記被写体を透過した前記Ｘ線束を検出するステップと、を含むことを特徴とする。
【００２４】
前記Ｘ線撮影装置は、前記被検者の頭部を固定する頭部固定装置を備え、前記頭部固定装置は、前記頭部の固定位置が調整可能に構成されており、前記Ｘ線撮影方法は、前記被検者が前記プレートを噛んだ状態における前記被検者の前記頭部にあわせて、前記頭部固定装置によって前記頭部の固定位置が調整されるとともに該頭部が固定されるステップを含むことが好ましい。
【発明の効果】
【００２５】
本発明によれば、簡易な構成で撮影作業性の向上および被検者の負担の軽減を図りつつ、小さい撮影視野に関心領域を納めることが可能なＸ線撮影装置およびＸ線撮影方法を提供できる。
【図面の簡単な説明】
【００２６】
【図１】本発明の一実施形態に係る歯科用のＸ線撮影装置を示す側面図である。
【図２】図１に示される頭部固定装置の周辺を示す斜視図である。
【図３】図３（ａ）は、頭部固定装置の平面図、図３（ｂ）は、頭部固定装置の側面図、図３（ｃ）は、頭部固定装置の正面図である。
【図４】図４（ａ）は、プレートと小ＦＯＶとを模式的に示す平面図、図４（ｂ）は、プレートと小ＦＯＶとを模式的に示す側面図である。
【図５】臼歯の撮影を説明するための図である。
【図６】前歯の撮影を説明するための図である。
【図７】頭部押さえ手段によって患者の頭部を押さえる様子を説明するための図である。
【図８】他の実施形態に係る頭部押さえ手段によって患者の頭部を押さえる様子を説明するための図である。
【図９】更なる他の実施形態に係る頭部押さえ手段によって患者の頭部を押さえる様子を説明するための図である。
【発明を実施するための形態】
【００２７】
本発明の実施形態について、適宜図面を参照しながら詳細に説明する。
なお、以下に示す各図において、共通する部分には同一の参照符号を付し、重複した説明を適宜省略する。
【００２８】
図１は、本発明の一実施形態に係る歯科用のＸ線撮影装置１を示す側面図である。
図１に示すように、Ｘ線撮影装置１は、支柱部２と、支柱部２に対して鉛直方向（上下方向）に移動自在に配設されたスライド本体部３とを備えている。スライド本体部３は、鉛直方向に延伸するスライド鉛直部３１と、該スライド鉛直部３１の上端に基端側が取り付けられ水平方向に延伸するスライド水平部３２とを有している。スライド本体部３のスライド水平部３２の下面側には、アーム４が、鉛直方向に沿う回転中心軸Ｃ１の周りに回転自在に配設されている。
【００２９】
Ｘ線撮影装置１は、被写体にＸ線束Ｌ（図４参照、以下同様）を照射するＸ線源１１と、被写体を透過したＸ線束Ｌを検出するＸ線撮像手段１２と、Ｘ線源１１およびＸ線撮像手段１２を支持する支持部材であるアーム４と、アーム４を回転中心軸Ｃ１の周りに回転させる旋回手段５と、を備えている。旋回手段５は、スライド水平部３２に配設されている。また、Ｘ線撮影装置１は、旋回手段５やＸ線源１１等の各部の動作を制御する制御装置と、Ｘ線撮像手段１２が取得した投影画像を処理する画像処理手段とを備えている（いずれも図示せず）。
【００３０】
Ｘ線撮影装置１において、被写体は、図示しない被検者としての患者の頭部における患部周辺に相当する。撮影を行う場合、患者は、アーム４の内側において頭部固定装置６によって頭部を固定して配置される。頭部固定装置６は、支持アーム３３を介して、スライド鉛直部３１に固定されている。そして、Ｘ線撮影装置１は、患者の頭部が固定された状態で、アーム４を被写体の回りに回転してＣＴ撮影を行う。
【００３１】
Ｘ線源１１およびＸ線撮像手段１２は、被写体を挟んで、互いに対峙するようにアーム４に配設されている。そして、サーボモータ等を備える旋回手段５によりアーム４を旋回させて、Ｘ線源１１およびＸ線撮像手段１２を被写体の周りに回転させ、Ｘ線源１１から照射されたＸ線束Ｌが被写体を透過してＸ線撮像手段１２で検出される。
【００３２】
Ｘ線源１１から照射されたＸ線束Ｌの範囲（広がり）を規制するスリット１３が、アーム４に配設されている。このスリット１３によって絞られたＸ線束Ｌが被写体を通過してＸ線撮像手段１２で検出される。スリット１３は、Ｘ線束Ｌの広がりを調整可能である。スリット１３を配設したことで、散乱線の量を低減させることによって画質を向上させることができる。
【００３３】
Ｘ線撮影装置１は、ＣＴ撮影においてＸ線束Ｌの広がりが異なる複数種類（ここでは、大小２種類）の撮影モードを備えている。Ｘ線束Ｌの広がりが大きい方の撮影モードでは、直径の大きい撮影視野（以下、「ＦＯＶ」ともいう）が得られる。また、Ｘ線束Ｌの広がりが小さい撮影モードでは、直径の小さいＦＯＶが得られる。本実施形態では、局所撮影モードは、Ｘ線束Ｌの広がりが最小（ここでは大小２種類のうちの小さい方）の撮影モードである小ＦＯＶ撮影モードであり、小ＦＯＶ撮影モードで得られるＦＯＶを小ＦＯＶと呼ぶ。なお、局所撮影モードは、Ｘ線束Ｌの広がりが異なる複数の撮影モードのうちの１歯または２歯撮影用の撮影モードとも定義され得る。
【００３４】
Ｘ線撮像手段１２は、受光面が矩形の平面センサからなり、例えばＣＭＯＳセンサ、ＣＣＤセンサ、ＣｄＴｅセンサ、その他のイメージセンサで構成されている。
【００３５】
図２は、図１に示される頭部固定装置６の周辺を示す斜視図である。図３（ａ）は、頭部固定装置６の平面図、図３（ｂ）は、頭部固定装置６の側面図、図３（ｃ）は、頭部固定装置６の正面図である。
図２、図３に示すように、頭部固定装置６は、基部６１と、本体部６２と、頭部押さえ手段６３と、下顎部支持手段６４とを備えている。頭部固定装置６は、患者の頭部の固定位置が調整可能となるように構成されている。
【００３６】
基部６１の正面部には、操作パネル６１１が配設されている。操作者は、操作パネル６１１を通して、Ｘ線撮影装置１の各種動作を実行させることができる。基部６１の側面部には、支持アーム３３の先端部が接続されている。
【００３７】
基部６１には、本体部６２が設けられている。本体部６２は、基部６１に対して上下方向Ａ１（図３（ｂ）参照）に移動可能である。本体部６２に設けられたレバー等の操作部材６２１を例えば押し上げるように操作することによって本体部６２の上下動がフリーとなり、操作部材６２１の押し上げを解除すると本体部６２が上下方向において固定されるようになっている。
【００３８】
頭部押さえ手段６３は、患者の左右のこめかみ部１０３，１０３（図７参照）にそれぞれ当接する一対のパッド６３１，６３１と、一対のパッド６３１，６３１を支持するパッド支持部材６３２とを有している。ここで、こめかみ部は、厳密なこめかみ位置のほか、概ねこめかみ位置付近をも含む趣旨であり、前頭部における左右の部分に相当する。
【００３９】
一対のパッド６３１，６３１は、患者に対して近接離反移動可能である。本実施形態では、一対のパッド６３１，６３１は、患者の左右方向に延びる軸線Ｃ２の周りで円周方向Ａ２（図３（ｂ）参照）に移動可能となっている。具体的には、一対のパッド６３１，６３１を支持するパッド支持部材６３２が、軸線Ｃ２に沿う回動軸６３５の周りで回動可能に本体部６２に取り付けられている。パッド支持部材６３２の先端側の部分のみ、回動の様子を破線で示す（図３（ｂ）参照）。また、レバー等の操作部材６３８の操作によって、パッド支持部材６３２の回動をフリーにしたり禁止（固定）したりすることが可能となっている。
【００４０】
パッド支持部材６３２は、パッド６３１が取り付けられているパッド取付部６３３と、左右に配置される一対の支持板６３４，６３４とを有している。パッド取付部６３３の左右の端部は、一対の支持板６３４，６３４の各先端部にそれぞれ固定されている。また、一対の支持板６３４，６３４の基端部は、本体部６２にそれぞれ回動可能に取り付けられている。パッド６３１は、柔軟性を有する介在部材６３７（図３（ａ）参照）を介してパッド取付部６３３に取り付けられている。介在部材６３７は、例えばゴム製であり、略円柱または略円筒状を呈している。
【００４１】
一対のパッド６３１，６３１は、患者に当接する当接面６３６をそれぞれ有している。一対の当接面６３６，６３６の各法線の間の挟角α（図７参照）は、９０度〜１５０度、好ましくは１１０度〜１３０度、より好ましくは約１２０度に設定されている。ただし、挟角αは、前記値に必ずしも限定されるものではない。
【００４２】
回動軸６３５は、軸線Ｃ２に沿うＡ３方向（図３（ｃ）参照）にスライド可能となっている。したがって、頭部押さえ手段６３の全体が、軸線Ｃ２に沿うＡ３方向にスライド可能となる。患者の左側の支持板６３４の周辺のみ、スライドの様子を破線で示す（図３（ｃ）参照）。また、ノブ等の操作部材６２２の操作によって、回動軸６３５のスライド移動をフリーにしたり禁止（固定）したりすることが可能となっている。
【００４３】
下顎部支持手段６４は、本体部６２の上部に取り付けられており、患者の下顎部を支持する。下顎部支持手段６４は、本体部６２の上面部に設置された基体６４１と、基体６４１の患者側の端部に設けられた接触部材６４２とを有している。
【００４４】
接触部材６４２は、患者の下顎部の下部の前側部分に接触する接触面６４３を持つ。接触面６４３上から外方に向けて延びる該接触面６４３の法線ベクトルＶ（図３（ｂ）参照）は、上下方向の成分および患者の前後方向の成分を有しているが、患者の左右方向の成分を有していない。すなわち、法線ベクトルＶの患者の左右方向の成分はゼロとなっている。つまり、接触面６４３の左右の傾きは存在しない。ここでは、接触面６４３は、患者の後方に向かう方向において先端に近付くにしたがって下がるように傾斜する平面である。
【００４５】
下顎部支持手段６４の基体６４１には、上下方向に貫通する長孔６４４が形成されている。長孔６４４は、上下方向から見て患者の前後方向に長い長円を呈している。基体６４１の長孔６４４には、バイトプレート部材６５が貫通している。接触部材６４２を備える下顎部支持手段６４は、患者の前後方向Ａ４（図３（ａ）参照）に移動可能となっている。基体６４１の前側端部周辺のみ、移動の様子を破線で示す（図３（ａ）参照）。
【００４６】
バイトプレート部材６５は、ＣＴ撮影時に患者が噛むプレート６５１と、プレート６５１を支持するＬ字状の支持棒６５２とを有している。バイトプレート部材６５は、支持棒６５２の下端部が本体部６２に設置されているブロック６５３に形成された穴部（図示せず）に挿入されることによって、本体部６２に固定される。バイトプレート部材６５は、ブロック６５３に対して着脱可能である。なお、プレート６５１が支持棒６５２に対して着脱可能に構成されてもよい。
【００４７】
図１に示すように、プレート６５１と回転中心軸Ｃ１との水平方向の相対位置が固定されている。本実施形態では、プレート６５１と回転中心軸Ｃ１との水平方向における位置は、それぞれ固定されている。また、プレート６５１は、回転中心軸Ｃ１の延長線上に配置されている。
【００４８】
図４（ａ）は、プレート６５１と小ＦＯＶ１４とを模式的に示す平面図、図４（ｂ）は、プレート６５１と小ＦＯＶ１４とを模式的に示す側面図である。
【００４９】
図４に示すように、バイトプレート部材６５のプレート６５１は、小ＦＯＶ撮影モードで得られる小ＦＯＶ１４の直径Ｄ１以下の直径Ｄ２を持つ円板状を呈しており、水平に配置されている。ここで、水平とは、厳密な水平のほか、略水平をも含む趣旨である。回転中心軸Ｃ１の延長線は、プレート６５１の中心（平面視した図形の図心）を通っている。プレート６５１には、プレート６５１の中心位置を示す中心表示部６５４（図５、図６参照）が設けられている。ここでは、中心表示部６５４は、プレート６５１の中心に設けられた穴であり、有底穴であってもよく貫通孔であってもよい。なお、中心表示部６５４は、穴に限定されるものではなく、プレート６５１の中心位置が確認できる細工が施されたものであればよく、例えばプレート６５１に十字マークを印刷したり加工したりしたものであってもよい。
【００５０】
なお、プレート６５１は円板状に限定されるものではない。例えば、プレート６５１は、楕円板状、四角板状等を呈していてもよい。この場合、プレート６５１の水平方向の最大長さが、小ＦＯＶ１４の直径Ｄ１以下に設定されることが好ましい。
【００５１】
プレート６５１の材質としては、Ｘ線を透過し、或る程度の強度を持つ樹脂が適している。また、操作者が目視してプレート６５１を患者の口腔内で位置決めする際、容易かつ正確に作業を行うためには、歯牙が透過して見えたほうがよいので、プレート６５１としては、透明あるいは半透明の材質が適している。このような樹脂としては、ポリプロピレン、ナイロン系樹脂、ポリカーボネート、ＣＦＲＰ、液晶ポリマー等が採用され得る。
【００５２】
次に、以上のように構成されたＸ線撮影装置１を用いてＣＴ撮影を行うＸ線撮影方法について、図５〜図７を参照しながら説明する。
図５は、臼歯の撮影を説明するための図である。図６は、前歯の撮影を説明するための図である。図７は、頭部押さえ手段６３によって患者の頭部を押さえる様子を説明するための図である。
【００５３】
まず、患者がバイトプレート部材６５のプレート６５１を噛む。このとき、患者は、診断の目的部位に対応する歯や部位で回転中心軸Ｃ１の延長線上にあるプレート６５１を噛む。すなわち、診断の目的部位としての関心領域が臼歯１０１である場合、患者は、図５に示すように臼歯１０１でプレート６５１を噛む。一方、関心領域が前歯１０２である場合、患者は、図６に示すように前歯１０２でプレート６５１を噛む。
【００５４】
続いて、患者がプレート６５１を噛んだ状態における患者の頭部にあわせて、頭部固定装置６によって頭部の固定位置が調整されるとともに該頭部が固定される。例えば、関心領域が臼歯１０１である場合、患者の頭部は、左側または右側、および前側に寄せて固定される。また、関心領域が前歯１０２である場合、患者の頭部は、左右方向の中央側、および後側に寄せて固定される。このとき、図７に示すように、患者の左右のこめかみ部１０３，１０３が一対のパッド６３１，６３１によって押さえられる。
【００５５】
続いて、患者がプレート６５１を噛んだ状態において、旋回手段５がアーム４を回転させてＸ線源１１およびＸ線撮像手段１２を被写体の周りで旋回させながら、Ｘ線撮像手段１２が被写体を透過したＸ線束Ｌを検出する。
【００５６】
ＣＴ撮影により得られた投影画像は、画像処理手段（図示せず）において所定の画像処理が施されて、ＣＴ画像が生成される。生成されたＣＴ画像は、必要に応じて外部記憶装置（図示せず）に保存され得る。
【００５７】
前記したように、本実施形態に係るＸ線撮影装置１は、Ｘ線源１１と、Ｘ線撮像手段１２と、Ｘ線源１１およびＸ線撮像手段１２を支持するアーム４と、該アーム４を回転中心軸Ｃ１の周りに回転させてＸ線源１１およびＸ線撮像手段１２を被写体の周りで旋回させる旋回手段５と、を備えている。また、Ｘ線撮影装置１は、ＣＴ撮影時に患者が噛むプレート６５１を備えている。そして、プレート６５１と回転中心軸Ｃ１との水平方向の相対位置が固定されており、プレート６５１は、回転中心軸Ｃ１の延長線上に配置されている。
【００５８】
このような本実施形態では、患者が診断の目的部位に対応する歯や部位で回転中心軸Ｃ１の延長線上にあるプレート６５１を噛んだ状態において撮影するだけで、小さいＦＯＶに関心領域を納めることが可能となる。また、従来のようなスカウトショットが不要になるとともに患者が長い時間拘束されずに済むため、患者の負担が軽減される。
すなわち、本実施形態によれば、簡易な構成で撮影作業性の向上および被検者の負担の軽減を図りつつ、小さいＦＯＶに関心領域を納めることが可能なＸ線撮影装置１を提供できる。
【００５９】
また、本実施形態では、プレート６５１の水平方向の最大長さが、複数の撮影モードのうちのＸ線束Ｌの広がりが最小である局所撮影モードで得られる小ＦＯＶ１４の直径Ｄ１以下に設定されている。したがって、Ｘ線束Ｌの広がりが最小である局所撮影モードで得られるＦＯＶに関心領域を納めることができる。また、プレート６５１の水平方向の最大長さが、複数の撮影モードのうちの１歯または２歯撮影用の局所撮影モードで得られる小ＦＯＶ１４の直径Ｄ１以下に設定されている。したがって、１歯または２歯撮影用の局所撮影モードで得られるＦＯＶに関心領域を納めることができる。
【００６０】
また、本実施形態では、プレート６５１は、局所撮影モードで得られる小ＦＯＶ１４の直径Ｄ１以下の直径Ｄ２を持つ円板状を呈しており、水平に配置されている。この構成では、鉛直方向（上下方向）から見てプレート６５１の形状がＦＯＶの形状と同様な円形を呈している。このため、患者はプレート６５１を噛みやすくなるとともに、局所撮影モードで得られるＦＯＶに関心領域をより確実に納めることが可能となる。
【００６１】
また、本実施形態では、プレート６５１には、該プレート６５１の中心位置を示す中心表示部６５４が設けられている。この構成では、操作者が目視してプレート６５１を患者の口腔内で位置決めする際、ＦＯＶの中心位置を確認することが可能となる。
【００６２】
また、本実施形態では、プレート６５１と回転中心軸Ｃ１との水平方向における位置がそれぞれ固定されている。この構成では、プレート６５１や回転中心軸Ｃ１の水平面内における移動機構が不要であり、より簡易な構成を実現できるとともにコストの低減が図られる。
【００６３】
また、本実施形態では、患者の頭部を固定する頭部固定装置６を備え、頭部固定装置６は、頭部の固定位置が調整可能に構成されている。関心領域がどこかによって患者がプレート６５１を噛んだときの頭部の位置がずれることになるが、この構成では、患者がプレート６５１を噛んだ状態における頭部にあわせて、頭部の固定位置を調整しつつ該頭部を固定できる。これにより、より安定した撮影が可能となり、精度の高い画像を得ることができる。
【００６４】
また、本実施形態では、頭部固定装置６は、患者の左右のこめかみ部１０３，１０３にそれぞれ当接する一対のパッド６３１，６３１を有する頭部押さえ手段６３を備え、一対のパッド６３１，６３１は、患者に対して近接離反移動可能である。これにより、患者の頭部は、左右方向および前後方向において同時に位置決めされる。
【００６５】
また、本実施形態では、一対のパッド６３１，６３１は、患者の左右方向に延びる軸線Ｃ２の周りで円周方向に移動可能である。この構成では、一対のパッド６３１，６３１を軸線Ｃ２の周りで円周方向Ａ２に移動させることによって、患者に対して近接離反移動させることができる。
【００６６】
図８は、他の実施形態に係る頭部押さえ手段６３ａによって患者の頭部を押さえる様子を説明するための図である。図８に示す他の実施形態では、一対のパッド６３１，６３１は、図示しない前後方向の移動機構によって、患者の前後方向Ｂ１に移動可能である。この構成では、一対のパッド６３１，６３１を患者の前後方向Ｂ１に移動させることによって、患者に対して近接離反移動させることができる。
【００６７】
図９は、更なる他の実施形態に係る頭部押さえ手段６３ｂによって患者の頭部を押さえる様子を説明するための図である。図９に示すように、頭部押さえ手段６３ｂは、左右に分割された一対のパッド取付部６３３ａ，６３３ｂと、パッド取付部６３３ａの内面に形成された歯部に噛合するとともにパッド取付部６３３ｂの外面に形成された歯部に噛合するギア６３９とを有している。図９に示す更なる他の実施形態では、一対のパッド６３１，６３１は、図示しない駆動手段によりギア６３９が回転させられることによって、患者の左右方向Ｂ２に移動可能である。この構成では、一対のパッド６３１，６３１を患者の左右方向Ｂ２に移動させることによって、患者に対して近接離反移動させることができる。
【００６８】
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。また、前記実施形態の構成の一部について、追加、削除、置換をすることができる。
【００６９】
例えば、前記実施形態では、Ｘ線撮影装置１は、ＣＴ撮影が可能な装置として構成されているが、本発明はこれに限定されるものではない。例えば、Ｘ線撮影装置１は、ＣＴ撮影に加えて、パノラマ撮影が可能な装置として構成されていてもよい。
【符号の説明】
【００７０】
１      Ｘ線撮影装置
１１    Ｘ線源
１２    Ｘ線撮像手段
１３    スリット
１４    小ＦＯＶ
２      支柱部
３      スライド本体部
３１    スライド鉛直部
３２    スライド水平部
３３    支持アーム
４      アーム
５      旋回手段
６      頭部固定装置
６１    基部
６１１  操作パネル
６２    本体部
６２１，６２２，６３８  操作部材
６３，６３ａ，６３ｂ  頭部押さえ手段
６３１  パッド
６３２  パッド支持部材
６３３，６３３ａ，６３３ｂ  パッド取付部
６３４  支持板
６３５  回動軸
６３６  当接面
６３７  介在部材
６３９  ギア
６４    下顎部支持手段
６４１  基体
６４２  接触部材
６４３  接触面
６４４  長孔
６５    バイトプレート部材
６５１  プレート
６５２  支持棒
６５３  ブロック
６５４  中心表示部
１０１  臼歯
１０２  前歯
１０３  こめかみ部
Ｃ１    回転中心軸
Ｃ２    軸線
Ｄ１    小ＦＯＶの直径
Ｄ２    プレートの直径
Ｌ      Ｘ線束
Ｖ      法線ベクトル
α      挟角
【図１】
2018121799.tif 000003
【図２】
2018121799.tif 000004
【図３】
2018121799.tif 000005
【図４】
2018121799.tif 000006
【図５】
2018121799.tif 000007
【図６】
2018121799.tif 000008
【図７】
2018121799.tif 000009
【図８】
2018121799.tif 000010
【図９】
2018121799.tif 000011
【手続補正書】
【提出日】平成30年1月5日(2018.1.5)
【手続補正１】
【補正対象書類名】特許請求の範囲
【補正対象項目名】請求項１
【補正方法】変更
【補正の内容】
【請求項１】
Ｘ線束を被検者の被写体に照射するＸ線源と、
前記被写体を透過した前記Ｘ線束を検出するＸ線撮像手段と、
前記Ｘ線源および前記Ｘ線撮像手段を支持する支持部材と、
該支持部材を鉛直方向に沿う回転中心軸の周りに回転させて前記Ｘ線源および前記Ｘ線撮像手段を前記被写体の周りで旋回させる旋回手段と、
ＣＴ撮影時に前記被検者が噛むプレートと、を備え、
前記プレートと前記回転中心軸との水平方向の相対位置が固定されていて一定であり、
前記プレートは、前記回転中心軸の延長線上に配置されていることを特徴とするＸ線撮影装置。
【手続補正２】
【補正対象書類名】明細書
【補正対象項目名】０００９
【補正方法】変更
【補正の内容】
【０００９】
前記課題を解決するため、本発明に係るＸ線撮影装置は、Ｘ線束を被検者の被写体に照射するＸ線源と、前記被写体を透過した前記Ｘ線束を検出するＸ線撮像手段と、前記Ｘ線源および前記Ｘ線撮像手段を支持する支持部材と、該支持部材を鉛直方向に沿う回転中心軸の周りに回転させて前記Ｘ線源および前記Ｘ線撮像手段を前記被写体の周りで旋回させる旋回手段と、ＣＴ撮影時に前記被検者が噛むプレートと、を備え、前記プレートと前記回転中心軸との水平方向の相対位置が固定されていて一定であり、前記プレートは、前記回転中心軸の延長線上に配置されていることを特徴とする。